(57)【要約】【課題】電線の引き出し方向を規制するカバーを有するサブコネクタをフレームから容易に引き出すことができるコネクタシステムを提供すること。【解決手段】サブコネクタ２０は、側壁３０ａの端子挿入側端２０ａから前方に突出され、サブコネクタ２０がサブコネクタ収容室１１内の保持位置に保持された場合、フレーム１０のサブコネクタ挿入側端１０ａよりも前方に延出されてなる延出部４０と、延出部４０の前端４０ｂに設けられ、左右方向で側壁３０ａの外面側に突出された指当て部６０と、延出部４０の前端部内面４０ａ側に形成された凹部であり、カバー８０を支持する嵌合凹部７０と、を有してなり、カバー８０は、該カバー８０の側壁８０ｄ外面に嵌合凹部７０に嵌合される凸状支持部８３を有してなり、凸状支持部８３が延出部４０の内面４０ａ側から嵌合凹部７０に嵌合されてサブコネクタ２０に取り付けられる。【選択図】図１
2012174479.tif 000002
【特許請求の範囲】
【請求項１】
電線に接続された端子を収容するサブコネクタと、該サブコネクタを収納するサブコネクタ収容室を有してなるフレームと、前記電線の引き出し方向を規制するカバーとを有してなり、前記サブコネクタが前記サブコネクタ収容室内の後方に挿入され前記サブコネクタ収容室に収容されるコネクタシステムにおいて、
前記サブコネクタは、
該サブコネクタの側壁の端子挿入側端から前方に突出され、前記サブコネクタが前記サブコネクタ収容室内の保持位置に保持された場合、前記フレームのサブコネクタ挿入側端よりも前方に延出されてなる延出部と、
前記延出部の前端部に設けられ、左右方向で前記側壁の外面側に突出された指当て部と、
前記延出部の前端部内面側に形成された凹部であり、前記カバーを支持する嵌合凹部と、
を有してなり、
前記カバーは、
該カバーの側壁外面に前記嵌合凹部に嵌合される凸状支持部を有してなり、前記凸状支持部が前記延出部の内面側から前記嵌合凹部に嵌合されて前記サブコネクタに取り付けられることを特徴とするコネクタシステム。
【請求項２】
前記フレームは、
側壁内面に凸状に形成されたフレーム側係止部を有してなり、
前記サブコネクタは、
側壁外面に突出されたサブコネクタ側係止部を有してなり、
前記サブコネクタは、
前記フレーム側係止部と前記サブコネクタ側係止部とが係合されることによって前記サブコネクタ収容室内の保持位置に保持され、
前記嵌合凹部は、
前記延出部を左右方向で貫通する開口部を有し、該開口部が、前後方向で前記サブコネクタ側係止部と並ぶように配置されてなることを特徴とする請求項１に記載のコネクタシステム。
【請求項３】
前記サブコネクタは、
該サブコネクタの両側壁外面に設けられ、前後方向に沿って延びる一対のリブ状突起からなるサブコネクタ側ガイド部を有してなり、
前記フレームは、
前記サブコネクタ収容室の両側壁内面に設けられ、サブコネクタ側ガイド部に摺動されて前記サブコネクタを前記サブコネクタ収容室内の保持位置までガイドする一対のリブ状突起からなるフレーム側ガイド部を有してなり、
前記延出部は、
前記サブコネクタ側ガイド部のリブ状突起よりも左右方向で突出されない厚さに形成されてなることを特徴とする請求項１または２に記載のコネクタシステム。
【発明の詳細な説明】
【技術分野】
【０００１】
本発明は、電線の引き出し方向を規制するカバーを有するサブコネクタと、このサブコネクタを収容するフレームとを有してなるコネクタシステムに関する。
【背景技術】
【０００２】
従来、電線の引き出し方向を規制するカバーを有するサブコネクタと、このサブコネクタを収容するフレームとを有してなるコネクタシステムが提案されている。例えば、特許文献１にはコネクタシステムとしての簡易防水コネクタが記載されている。
【０００３】
この特許文献１に記載された簡易防水コネクタは、雌型コネクタハウジングと雄型コネクタハウジングが嵌合接続される時、フード部の外側前方の上面および側面に設けられたシール突部とロックカバーの内面とが当接するようになっている。
【先行技術文献】
【特許文献】
【０００４】
【特許文献１】特開平７−１５３５２１号公報
【発明の概要】
【発明が解決しようとする課題】
【０００５】
しかしながら、上述のようなコネクタシステムは、サブコネクタの前端部分を覆うようにカバーが取り付けられるため、サブコネクタをフレームから前方へ引き出し難いという問題があった。
この場合、カバーの一部を持ち手としてサブコネクタを引き出すことも考えられるが、カバーとサブコネクタとは取り外し可能になっているため、カバーとサブコネクタとの係合状態が解除される可能性があり、結果的にサブコネクタをフレームから引き出し難いという問題は解消されない。
この場合、カバーを取り外した後にサブコネクタをフレームから引き出すことも考えられるが、作業が煩雑なものとなってしまうという問題が発生する。
【０００６】
本発明は、上記に鑑みてなされたものであって、電線の引き出し方向を規制するカバーを有するサブコネクタをフレームから容易に引き出すことができるコネクタシステムを提供することを目的とする。
【課題を解決するための手段】
【０００７】
上述した課題を解決し、目的を達成するために、本発明の請求項１にかかるコネクタシステムは、電線に接続された端子を収容するサブコネクタと、該サブコネクタを収納するサブコネクタ収容室を有してなるフレームと、前記電線の引き出し方向を規制するカバーとを有してなり、前記サブコネクタが前記サブコネクタ収容室内の後方に挿入され前記サブコネクタ収容室に収容されるコネクタシステムにおいて、前記サブコネクタは、該サブコネクタの側壁の端子挿入側端から前方に突出され、前記サブコネクタが前記サブコネクタ収容室内の保持位置に保持された場合、前記フレームのサブコネクタ挿入側端よりも前方に延出されてなる延出部と、前記延出部の前端部に設けられ、左右方向で前記側壁の外面側に突出された指当て部と、前記延出部の前端部内面側に形成された凹部であり、前記カバーを支持する嵌合凹部と、を有してなり、前記カバーは、該カバーの側壁外面に前記嵌合凹部に嵌合される凸状支持部を有してなり、前記凸状支持部が前記延出部の内面側から前記嵌合凹部に嵌合されて前記サブコネクタに取り付けられることを特徴とする。
【０００８】
また、本発明の請求項２にかかるコネクタシステムは、上記の発明において、前記フレームは、側壁内面に凸状に形成されたフレーム側係止部を有してなり、前記サブコネクタは、側壁外面に突出されたサブコネクタ側係止部を有してなり、前記サブコネクタは、前記フレーム側係止部と前記サブコネクタ側係止部とが係合されることによって前記サブコネクタ収容室内の保持位置に保持され、前記嵌合凹部は、前記延出部を左右方向で貫通する開口部を有し、該開口部が、前後方向で前記サブコネクタ側係止部と並ぶように配置されてなることを特徴とする。
【０００９】
また、本発明の請求項３にかかるコネクタシステムは、上記の発明において、前記サブコネクタは、該サブコネクタの両側壁外面に設けられ、前後方向に沿って延びる一対のリブ状突起からなるサブコネクタ側ガイド部を有してなり、前記フレームは、前記サブコネクタ収容室の両側壁内面に設けられ、サブコネクタ側ガイド部に摺動されて前記サブコネクタを前記サブコネクタ収容室内の保持位置までガイドする一対のリブ状突起からなるフレーム側ガイド部を有してなり、前記延出部は、前記サブコネクタ側ガイド部のリブ状突起よりも左右方向で突出されない厚さに形成されてなることを特徴とする。
【発明の効果】
【００１０】
本発明の請求項１にかかるコネクタシステムは、前記サブコネクタが前記フレームの前記サブコネクタ挿入側端よりも前方に延出されてなる延出部と、前記延出部の前端に設けられ、左右方向で側壁の外面側に突出された指当て部と、前記延出部の前端部内面側に形成された凹部であり、カバーを支持する嵌合凹部と、を有し、前記カバーは、該カバーの側壁外面に前記嵌合凹部に嵌合される凸状支持部を有し、前記凸状支持部が前記延出部の内面側から前記嵌合凹部に嵌合されて前記サブコネクタに取り付けられるので、前記サブコネクタと一体的に設けられた前記指当て部を介して前記サブコネクタをフレームから容易に引き出すことができる。
【００１１】
本発明の請求項２にかかるコネクタシステムは、上述した請求項１と同様の効果を奏するとともに、前記開口部が、前後方向で前記サブコネクタ側係止部と並ぶように配置されてなるので、前記開口部は、前記サブコネクタ側係止部を形成する際に用いられる金型の挿入口を利用して形成できる。このため、前記嵌合凹部を容易に形成することができる。
【００１２】
本発明の請求項３にかかるコネクタシステムは、上述した請求項１と同様の効果を奏するとともに、前記サブコネクタが該サブコネクタの両側壁外面に設けられ、前後方向に沿って延びる一対のリブ状突起からなるサブコネクタ側ガイド部を有してなり、前記フレームが前記サブコネクタ収容室の両側壁内面に設けられ、前記サブコネクタ側ガイド部に摺動されて前記サブコネクタを前記サブコネクタ収容室内の保持位置までガイドする一対のリブ状突起からなるフレーム側ガイド部を有してなり、前記延出部が前記サブコネクタ側ガイド部の前記リブ状突起よりも左右方向で突出されない厚さに形成されてなるので、前記延出部が、前記フレームに干渉することない。このため、前記サブコネクタを容易に前記サブコネクタ収容室に収容することができる。
【図面の簡単な説明】
【００１３】
【図１】図１は、本発明の実施の形態にかかるコネクタシステムの全体構成を示した斜視図である。
【図２】図２は、図１に示したフレームの拡大斜視図である。
【図３】図３は、図１に示したサブコネクタを前方から視た拡大斜視図である。
【図４】図４は、図１に示したサブコネクタを後方から視た拡大斜視図である。
【図５】図５は、図１に示したサブコネクタの要部断面図である。
【図６】図６は、図１に示したコネクタシステムを後方から視た斜視図である。
【図７】図７は、図１に示したカバーが取り付けられたサブコネクタを上方から見た要部断面図である。
【図８】図８は、図１に示したカバーがサブコネクタに取り付けられた状態を示した拡大斜視図である。
【図９】図９は、図１に示したカバーの拡大斜視図である。
【図１０】図１０は、本発明の実施の形態にかかるコネクタシステムの変形例を示したものである。
【発明を実施するための形態】
【００１４】
以下、図面を参照して、本発明にかかるコネクタシステムの好適な実施の形態を詳細に説明する。
【００１５】
（実施の形態）
図１は、本発明の実施の形態にかかるコネクタシステム１の全体構成を示した斜視図である。便宜上、図中矢印方向を上下方向、左右方向、前後方向とする。
本発明の実施の形態にかかるコネクタシステム１は、図１に示すように、フレーム１０が三つのサブコネコネクタ収容室１１を有し、サブコネクタ２０が内部に収容された雌端子１００に繋がる電線Ｗの引き出し方向をカバー８０によって規制されて各サブコネコネクタ収容室１１内に収容されている。
【００１６】
まず、図２を用いてフレーム１０について説明する。
図２は、図１に示したフレーム１０の拡大斜視図である。フレーム１０は、前後両面に開口が形成された角筒状をなし、内部に三つのサブコネクタ２０をそれぞれ収容する三つのサブコネクタ収容室１１を有してなる。
各サブコネクタ収容室１１は、フレーム側ガイド部１２およびフレーム側係止部１３を有してなる。
フレーム側ガイド部１２は、サブコネクタ２０をサブコネクタ収容室１１内の保持位置にガイドするものである。このフレーム側ガイド部１２は、両側壁１４の側壁内面１４ａに設けられた前後方向に沿って平行に延びる一対のリブ状突起１２ａ，１２ｂによってなる。サブコネクタ２０は、この一対のリブ状突起１２ａ，１２ｂを後述するサブコネクタ側ガイド部３２の一対のリブ状突起３２ａ，３２ｂの内側にし、サブコネクタ側ガイド部３２とフレーム側ガイド部１２とを摺接させながらサブコネクタ収容室１１内の保持位置にガイドされるようになっている。
【００１７】
フレーム側係止部１３は、一対のリブ状突起１２ａ，１２ｂの間の側壁内面１４ａに凸状に形成され、後述するサブコネクタ側係止部３３と係合することによってサブコネクタ収容室１１内の保持位置でサブコネクタ２０を係止するものである。
【００１８】
次に、図３−図７を用いてサブコネクタ２０について説明する。
図３は、図１に示したサブコネクタ２０を前方から視た拡大斜視図である。図４は、図１に示したサブコネクタ２０を後方から視た拡大斜視図である。図５は、図１に示したサブコネクタ２０の要部断面図である。図６は、図１に示したコネクタシステム１を後方から視た斜視図である。図７は、図１に示したカバー８０が取り付けられたサブコネクタ２０を上方から見た要部断面図である。
【００１９】
各サブコネクタ２０は、図３および図４に示すように、本体部３０、延出部４０、延在壁部５０、指当て部６０および嵌合凹部７０を有してなる。
本体部３０は、前後両面が開口された箱型形状であり、内部に複数の雌端子１００を収容するものである。本体部３０は、十室の端子収容室３１、サブコネクタ側ガイド部３２、サブコネクタ側係止部３３、およびサブコネクタ側係合部３４を有してなる。
【００２０】
端子収容室３１は、雌端子１００を保持収容する室である。この端子収容室３１は、図５に示すように、各端子収容室３１後端部の内面上側から突出されたランス部３１ａを有してなる。各雌端子１００は、このランス部３１ａに係止されることによって、各端子収容室３１内で保持されるようになっている。また、各端子収容室３１内の各雌端子１００は、本体部３０後端面の開口を介して、他の端子と電気的に接続可能になっている。
【００２１】
サブコネクタ側ガイド部３２は、各サブコネクタ２０を各サブコネクタ収容室１１に収容する際にガイドとして機能するものである。このサブコネクタ側ガイド部３２は、図３および図４に示すように、本体部３０の各側壁外面３０ｂに前後方向に沿って平行に延びる一対のリブ状突起３２ａ，３２ｂである。
すなわち、サブコネクタ２０は、フレーム側ガイド部１２の一対のリブ状突起１２ａ，１２ｂをサブコネクタ側ガイド部３２の一対のリブ状突起３２ａ，３２ｂの内側にし、サブコネクタ側ガイド部３２とフレーム側ガイド部１２とを摺接させながらサブコネクタ収容室１１内の保持位置にガイドされるようになっている。
【００２２】
サブコネクタ側係止部３３は、側壁外面３０ｂから突出され、フレーム側係止部１３と係合することによって、サブコネクタ２０をサブコネクタ収容室１１内の保持位置で係止するものである。より具体的には、サブコネクタ側係止部３３は、側壁外面３０ａから突出された可撓アーム部３３ａと、可撓アーム部３３ａと側壁外面３０ｂとの空間となる空間部３３ｂとを有し、可撓アーム部３３ａが側壁外面３０ｂ側に撓むことができるようになっている。このため、サブコネクタ２０がサブコネクタ収容室１１に収容される場合、可撓アーム部３３ａが側壁外面３０ｂ側に撓んでフレーム側係止部１３をのりこえ、弾性力で復元されることによって、サブコネクタ側係止部３３とフレーム側係止部１３とが係合するようになっている。
【００２３】
サブコネクタ側係合部３４は、端子挿入側端２０ａの上壁２１および下壁２２から前方に突出された一対の突出部３４ａと、各突出部３４ａから突起した突起部３４ｂとを有してなる。このサブコネクタ側係合部３４は、後述するカバー側係合部８１と係合することによって、カバー８０をサブコネクタ２０に固定させるものである。
【００２４】
次に、延出部４０について説明する。
延出部４０は、側壁３０ａの端子挿入側端２０ａから前方に突出され、サブコネクタ２０がサブコネクタ収容室１１内の保持位置に保持された場合、フレーム１０のサブコネクタ挿入側端１０ａよりも前方に延出されてなる。
また、延出部４０は、本体部３０の左側壁３０ａの端子挿入側端２０ａから前方に突出されてなる。この延出部４０は、サブコネクタ側ガイド部３２よりも左右方向で突出されない厚さに形成されてなる。これによりサブコネクタ２０は、左側に延出部４０を設けられているものの、ガイドされながらサブコネクタ収容室１１内に収容できるようになっている。
【００２５】
また、延出部４０は、傾斜面部４１を有してなる。傾斜面部４１は、延出部４０の前端部の内面４０ａに傾斜して形成された傾斜面４１ａを有してなる。この傾斜面４１ａは、延出部４０の左右方向の厚みが前方に漸次薄くなるように傾斜して形成されてなる。また、傾斜面部４１には、後述する嵌合凹部７０が形成されている。
【００２６】
延在壁部５０は、端子挿入側端２０ａの上壁２１および下壁２２の左端部から前端４０ｂまで左右方向の幅が漸次短くなるように延在された一対の壁であり、カバー８０の後述する一対の支持側嵌合凹部８２と嵌合されるものである。この一対の延在壁部５０は、カバー８０の支持側嵌合凹部８２と嵌合されることによって、上下方向からカバー８０の後述する凸状支持部８３の近傍領域を保持するようになっている。
【００２７】
指当て部６０は、延出部４０の前端４０ｂに設けられ、左右方向で側壁外面３０ｂ側に突出された部分である。この指当て部６０は、サブコネクタ２０がサブコネクタ収容室１１内に収容された場合、図６に示すように、フレーム１０のサブコネクタ挿入側端１０ａよりも前方に配置されるため、作業者はこの指当て部６０をつかむことによって、サブコネクタ２０をサブコネクタ収容室１１外に容易に引き出すことができるようになっている。
【００２８】
嵌合凹部７０は、カバー８０の後述する凸状支持部８３が嵌合される部分である。この嵌合凹部７０は、図３および図４に示すように、前端４０ｂ、具体的には傾斜面部４１に形成され、左右方向で延出部４０を貫通する開口部７１および嵌合凹部側当接面７２を有してなる。
開口部７１は、前後方向で可撓アーム部３３ａと並ぶように配置されてなる。このため、開口部７１は、図７に示すように、可撓アーム部３３ａを形成する際に用いられる金型１１０の挿入口１１０ａを利用して形成されるようになっている。
嵌合凹部側当接面７２は、後述する凸状支持部８３の支持部側当接面８３ｂに当接される面である。
このような挿入口１１０ａを有してなる延出部４０は、延出部４０に傾斜面部４１が形成されることによって、挿入口１１０ａに左右方向に貫通された開口部７１が形成されるとともに、指当て部６０の突出方向と逆側の面が嵌合凹部側当接面７２として露出される。
【００２９】
次に、図８および図９を用いてカバー８０について説明する。図８は、図１に示したカバー８０がサブコネクタ２０に取り付けられた状態を示した拡大斜視図である。図９は、図１に示したカバー８０の拡大斜視図である。
【００３０】
カバー８０は、図９に示すように、後面および右側側面を開口され、前壁８０ａ、上壁８０ｂ、下壁８０ｃ、左側壁８０ｄ有してなる外形矩形状の箱型部材である。このカバー８０は、雌端子１００に繋がる電線Ｗの引き出し方向を右側の開口面方向に規制するものである。
また、カバー８０は、カバー側係合部８１、支持側嵌合凹部８２、および凸状支持部８３を有してなる。
カバー側係合部８１は、サブコネクタ側係合部３４と係合することによってカバー８０をサブコネクタ２０に保持させるものである。このカバー側係合部８１は、上壁８０ｂおよび下壁８０ｃの後端開口側の右側よりの位置に設けられ、サブコネクタ側係合部３４の突出部３４ａに対応して形成された第一凹部８１ａと、突起部３４ｂの形状に対応して形成された第二凹部８１ｂとを有してなる。このようなカバー側係合部８１は、カバー８０がサブコネクタ２０に取り付けられる場合、サブコネクタ側係合部３４の突出部３４ａが第一凹部８１ａと嵌合され、突起部３４ｂが第二凹部８１ｂと嵌合されて、カバー側係合部８１とサブコネクタ側係合部３４とが係合される。
【００３１】
支持側嵌合凹部８２は、上壁８０ｂおよび下壁８０ｃの凸状支持部８３近傍領域に形成された一対の凹部である。この支持側嵌合凹部８２は、サブコネクタ２０の一対の延在壁部５０に対応した位置に設けられ、一対の支持側嵌合凹部８２に一対の延在壁部５０の一部が嵌合される。これによって、一対のサブコネクタ２０が、カバー８０の凸状支持部８３近傍領域を保持するようになっている。
【００３２】
凸状支持部８３は、左側壁８０ｄから外側に突出してなり、サブコネクタ２０の嵌合凹部７０に嵌合されることによって、サブコネクタ２０へのカバー８０の取り付け姿勢を支持する支持部として機能するものである。この凸状支持部８３は、挿通突起部８３ａおよび支持部側当接面８３ｂを有してなる。
挿通突起部８３ａは、嵌合凹部７０の開口部７１の形状に対応して形成され、開口部７１に挿通される部分である。
支持部側当接面８３ｂは、嵌合凹部側当接面７２に当接される面である。
カバー８０は、凸状支持部８３の挿通突起部８３ａが開口部７１に挿通され、かつ支持部側当接面８３ｂが嵌合凹部側当接面７２に当接されることによって、サブコネクタ２０の取り付け位置に位置決めされる。
【００３３】
本発明の実施の形態のコネクタシステム１は、サブコネクタ２０がフレーム１０のサブコネクタ挿入側端１０ａよりも前方に延出されてなる延出部４０と、延出部４０の前端４０ｂに設けられ、左右方向で側壁３０ａの外面側に突出された指当て部６０と、延出部４０の前端部内面４０ａ側に形成された凹部であり、カバー８０を支持する嵌合凹部７０と、を有し、カバー８０は、該カバー８０の左側壁８０ｄ外面に嵌合凹部７０に嵌合される凸状支持部８３を有し、凸状支持部８３が延出部４０の内面４０ａ側から嵌合凹部７０に嵌合されてサブコネクタ２０に取り付けられるので、サブコネクタ２０と一体的に設けられた指当て部６０を介してサブコネクタ２０をフレーム１０から容易に引き出すことができる。
【００３４】
また、本発明の実施の形態のコネクタシステム１は、開口部７１が、前後方向でサブコネクタ側係止部３３と並ぶように配置されてなるので、開口部７１は、可撓アーム部３３ａを形成する際に用いられる金型１１０の挿入口１１０ａを利用して形成でき、結果的に嵌合凹部７０を容易に形成することができる。
【００３５】
また、本発明の実施の形態のコネクタシステム１は、サブコネクタ２０がサブコネクタ２０の両側壁外面３０ｂに設けられ、前後方向に沿って延びる一対のリブ状突起３２ａ，３２ｂからなるサブコネクタ側ガイド部３２を有してなり、フレーム１０がサブコネクタ収容室１１の両側壁内面１４ａに設けられ、サブコネクタ側ガイド部３２に摺動されてサブコネクタ２０をサブコネクタ収容室１１内の保持位置までガイドする一対のリブ状突起１２ａ，１２ｂからなるフレーム側ガイド部１２を有してなり、延出部４０がサブコネクタ側ガイド部３２のリブ状突起３２ａ，３２ｂよりも左右方向で突出されない厚さに形成されてなるので、延出部４０が、フレーム１０に干渉することない。このため、サブコネクタ２０を容易にサブコネクタ収容室１１に収容することができる。
【００３６】
なお、本発明の実施の形態のコネクタシステム１は、フレーム１０が三つのサブコネクタ２０を収容するものを例示したが、これに限らず、一以上のサブコネクタ２０を収容するものであっても構わない。
【００３７】
また、本発明の実施の形態のコネクタシステム１は、延出部４０が、サブコネクタ２０の左側に設けられ、カバー８０の右側開口に電線Ｗの引き出し方向を規制するものを例示したが、これに限らない。すなわち、延出部４０がサブコネクタの右側に設けられ、カバー８０の左側開口に電線Ｗの引き出し方向を規制するようにしてもかまわない。
【００３８】
また、本発明の実施の形態のコネクタシステム１は、凸状支持部８３が挿通突起部８３ａおよび支持部側当接面８３ｂを有してなり、嵌合凹部７０が開口部７１および嵌合凹部側当接面７２を有してなるものを例示したが、これに限らない。すなわち、凸状支持部と嵌合凹部７０とが嵌合することによって、カバー８０が、サブコネクタ２０の取り付け位置に位置決めできればよい。例えば、凸状支持部８３が支持部側当接面８３ｂを有さず、かつ嵌合凹部７０が嵌合凹部側当接面７２を有さず、挿通突起部８３ａが開口部７１に挿通されることで、カバー８０がサブコネクタ２０の取り付け位置に位置決めされるようにしてもよい。あるいは、嵌合凹部７０が、延出部４０を貫通しない凹部であってもよい。
【００３９】
また、本発明の実施の形態のコネクタシステム１は、サブコネクタ２０がサブコネクタ側ガイド部３２およびフレーム側ガイド部１２によってガイドされてサブコネコネクタ収容室１１内に収容されるものを例示したが、これに限らず、図１０に示すように、コネクタシステム２が、サブコネクタ側ガイド部３２およびフレーム側ガイド部１２を有さず、サブコネクタ２０の外面と、サブコネコネクタ収容室１１の内面とを摺接させることによってサブコネクタ２０がサブコネコネクタ収容室１１内に収容されるようにしてもよい。
【００４０】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４１】
１、２  コネクタシステム
１０    フレーム
１０ａ  サブコネクタ挿入側端
１１    サブコネコネクタ収容室
１２    フレーム側ガイド部
１２ａ，１２ｂ  リブ状突起
１３    フレーム側係止部
１４    側壁
１４ａ  側壁内面
２０    サブコネクタ
２０ａ  端子挿入側端
２１    上壁
２２    下壁
３０    本体部
３０ａ  側壁
３０ｂ  側壁外面
３１    端子収容室
３１ａ  ランス部
３２    サブコネクタ側ガイド部
３２ａ，３２ｂ  リブ状突起
３３    サブコネクタ側係止部
３３ａ  可撓アーム部
３３ｂ  空間部
３４    サブコネクタ側係合部
３４ａ  突出部
３４ｂ  突起部
４０    延出部
４０ａ  内面
４０ｂ  前端
４１    傾斜面部
４１ａ  傾斜面
５０    延在壁部
６０    指当て部
７０    嵌合凹部
７１    開口部
７２    嵌合凹部側当接面
８０    カバー
８０ａ  前壁
８０ｂ  上壁
８０ｃ  下壁
８０ｄ  左側壁
８１    カバー側係合部
８１ａ  第一凹部
８１ｂ  第二凹部
８２    支持側嵌合凹部
８３    凸状支持部
８３ａ  挿通突起部
８３ｂ  支持部側当接面
１００  雌端子
１１０  金型
Ｗ      電線
【図１】
2012174479.tif 000003
【図２】
2012174479.tif 000004
【図３】
2012174479.tif 000005
【図４】
2012174479.tif 000006
【図５】
2012174479.tif 000007
【図６】
2012174479.tif 000008
【図７】
2012174479.tif 000009
【図８】
2012174479.tif 000010
【図９】
2012174479.tif 000011
【図１０】
2012174479.tif 000012